(57)【要約】      （修正有）【課題】簡単な構成で、所望の発光角に調整し、バウンス撮影が可能な撮像装置を提供する。【解決手段】撮像装置本体は壁面上部に凹凸形状を有する略円筒状のラチェット部品３３を備え、トーションバネ３０のフック部３０ａと巻部３０ｃの間の腕部に、撮像装置本体内部から第一のヒンジ５周りに突出したラチェット部品３３の凹部が引っかかることで、トーションバネ３０を係止し、トーションバネ３０の腕部は、巻部３０ｃが第一のヒンジ軸３２と平行に伸縮することでラチェット部品３３の凸部を乗り越え、次の凹部に係止されることで、該撮像装置本体に対するストロボユニット４の回転角を調整する。【選択図】図５
2016128850.tif 000002
【特許請求の範囲】
【請求項１】
撮像装置本体（１）はストロボユニット（４）を第一のヒンジ（５）回りに回転させる為のトーションバネ（３０）を備え、
前記トーションバネ（３０）のフック部（３０ａ）はベース部（１０）の引掛け形状（３１）に引掛けられ、係止部（３０ｂ）を撮像装置本体（１）に係止され、前記トーションバネ（３０）の巻部（３０ｃ）は第一のヒンジ（５）の軸として撮像装置本体（１）から突出した第一のヒンジ軸（３２）に同軸状に配置されており、
撮像装置本体（１）は壁面上部に凹凸形状（３３ｂ、３３ｃ）を有する円筒状のラチェット部品（３３）を備え、
前記トーションバネ（３０）のフック部（３０ａ）と巻部（３０ｃ）の間の腕部（３０ｄ）に、撮像装置本体（１）内部から第一のヒンジ（５）周りに突出したラチェット部品（３３）の凹部（３３ｂ）が引っかかることで、トーションバネ（３０）を係止することを特徴とし、
トーションバネ（３０）の腕部（３０ｄ）は、巻部（３０ｃ）が第一のヒンジ軸（３２）と平行に伸縮することでラチェット部品（３３）の凸部（３３ｃ）を乗り越え、次の凹部（３３ｂ）に係止されることで、撮像装置本体（１）に対するストロボユニット（４）の回転角を調整することを特徴とする撮像装置。
【請求項２】
トーションバネ（３０）のフック部（３０ａ）は引掛け形状（３１）に対して固定されていることを特徴とする請求項１に記載の撮像装置。
【請求項３】
ラチェット部品（３３）の凹凸形状（３３ｂ、３３ｃ）は、ストロボアップ方向にはトーションバネ（３０）の腕部（３０ｄ）を係止させる形状をしており、ストロボダウン方向には腕部（３０ｄ）を凸部（３３ｃ）に沿って滑らかに乗り越えさせる形状となっていることを特徴とする請求項１に記載の撮像装置。
【請求項４】
ストロボアップ操作を行った際には、ラチェット部品（３３）が自動的に突出することを特徴とする請求項１に記載の撮像装置。
【請求項５】
ストロボアップ操作を行った際には、ストロボアップ後にストロボＳＷ（７）を操作することでラチェット部品（３３）の進退を切り替えることを特徴とする請求項１に記載の撮像装置。
【請求項６】
発光部（１１）がバウンス撮影時の状態でない場合には、ラチェット部品（３３）を突出させないことを特徴とする請求項１に記載の撮像装置。
【請求項７】
ラチェット部品（３３）が突出している状態で、発光部（１１）がバウンス撮影状態からバウンス非撮影状態に切り替わった際には、ラチェット部品（３３）を退避させることを特徴とする請求項１に記載の撮像装置。
【発明の詳細な説明】
【技術分野】
【０００１】
本発明は、内蔵ストロボにおけるバウンス撮影に関し、特に小型で縦位置撮影時にもバウンス撮影が可能なストロボ機構に関する。
【背景技術】
【０００２】
従来より、ストロボからの直接光による撮影の場合、不自然な明るさの画像が撮影されてしまう撮影シーンがあり、その対策として天井や壁などにストロボ光を反射させて撮影を行うバウンスという技法が用いられている。外部接続のストロボの多くは、上記バウンス撮影に対応しストロボ発光方向を任意で変更できる機構が盛り込まれている。
【０００３】
内蔵ストロボにおいても特許文献１に示すように、ストロボ発光部を発光管に平行なヒンジ軸によって回転可能とし、発光方向を変更することでバウンス撮影に対応している。また、特許文献２に示すように、ストロボ発光部の前方に異形レンズを配置し、ストロボの光を屈折および反射させることで、発光方向を変更する技術も紹介されている。
【先行技術文献】
【特許文献】
【０００４】
【特許文献１】特開２００６‐７８５０６号公報
【特許文献２】特開平１１−２７１８５１号公報
【発明の概要】
【発明が解決しようとする課題】
【０００５】
しかしながら、特許文献１及び２に示す技術では、縦位置による撮影時に、撮影者の側面側に対するバウンス撮影にしか対応できず、撮影の自由度を損ねることとなる。また、特許文献１においては複雑な構成となっており部品点数増加及び機器の大型化を招く。特許文献２においては反射および屈折を可能とするレンズを配置している。よって、小型化が難しく、内蔵ストロボにおいて有効なバウンス技術とは言えない。
【０００６】
本発明は、上記の事情に鑑みて成されたものであり、内蔵ストロボにおいて小型で縦位置撮影時にも撮影者の任意のバウンス撮影が可能な撮像装置を提供することを目的とする。
【課題を解決するための手段】
【０００７】
上記目的を達成するために、本発明は、
ストロボユニットを備える撮像装置であって、
撮像装置本体はストロボユニットを第一のヒンジ回りに回転させる為のトーションバネを備え、
前記トーションバネのフック部はベース部の引掛け形状に引掛けられ、他端を撮像装置本体に係止され、前記トーションバネの巻部は撮像装置本体から突出した第一のヒンジ軸に略同軸状に配置されており、
撮像装置本体は壁面上部に凹凸形状を有する略円筒状のラチェット部品を備え、
前記トーションバネのフック部と巻部の間の腕部に、撮像装置本体内部から第一のヒンジ周りに突出したラチェット部品の凹部が引っかかることで、トーションバネを係止することを特徴とし、
トーションバネの腕部は、巻部が第一のヒンジ軸と平行に伸縮することでラチェット部品の凸部を乗り越え、次の凹部に係止されることで、撮像装置本体に対するストロボユニットの回転角を調整することを特徴とする。
【発明の効果】
【０００８】
本発明の撮像装置によれば、内蔵ストロボにおいて、通常のストロボ機構に対して、最少の機構追加でストロボＵＰ力を抑制し、さらにラチェット機構に切り替えることができる。
【図面の簡単な説明】
【０００９】
【図１】（ａ）は本実施の形態に係る撮像装置の外観正面斜視図、（ｂ）はストロボ撮影時の本実施の形態に係る撮像装置の外観正面斜視図
【図２（ａ）】本実施の形態に係るストロボユニットの外観斜視図
【図２（ｂ）】図２（ａ）のＡ−Ａ断面図
【図２（ｃ）】図２（ａ）のＢ−Ｂ断面図
【図２（ｄ）】バウンス図２（ａ）のＢ−Ｂ断面図
【図３】本実施の形態に係る撮像装置の主要な電気的構成を示すブロック図
【図４】本実施形態に係る撮像装置に関する、ストロボ発光方法に関するフローチャート
【図５】（ａ）はストロボユニット４の外観斜視図、（ｂ）は図５（ａ）のＡ−Ａ断面図
【図６】トーションバネ３０の単体形状を表す斜視図
【図７】（ａ）はラチェット部品３３の単体斜視図、（ｂ）は図７（ａ）の矢視図Ａ
【図８】（ａ）はトーションバネ３０、第一のヒンジ軸３２、ラチェット部品３３の構成を表示した斜視図、（ｂ）はラチェット部品３３が退避している状態の正面図、（ｃ）はラチェット部品３３が突出している状態の正面図
【図９】（ａ）はストロボダウン時のラチェット状態を示す斜視図およびＡ−Ａ断面図、（ｂ）は図９（ａ）からストロボアップ方向にストロボユニット４を可動させ、腕部３０ｄが凸部の頂点に差し掛かった際のラチェット状態を示す斜視図およびＡ−Ａ断面図、（ｃ）は図９（ａ）からストロボアップ方向に凸部３３ｃを乗り越え、次の凹部３３ｂに係止した際のラチェット状態を示す斜視図およびＡ−Ａ断面図、（ｄ）はラチェット部品３３の凹凸部の詳細図
【図１０】実施例２に係る撮像装置の主要な電気的構成を示すブロック図
【図１１】ラチェット部品の駆動方法に関するフローチャート
【発明を実施するための形態】
【００１０】
以下、本発明を実施するための形態を図面に基づいて説明する。
【実施例１】
【００１１】
図１〜図４を用いて、本実施の形態に係る撮像装置の構成について説明する。なお、図中で共通する部分には同一の符号を付す。
【００１２】
まず、図１を参照して本実施の形態に係る撮像装置の本体構成について説明する。図１（ａ）は撮像装置の外観正面斜視図、図１（ｂ）はストロボ撮影時の本実施の形態に係る撮像装置の外観正面斜視図を表す。
【００１３】
図１（ａ）、図１（ｂ）において、１は撮像装置本体、２は撮影レンズ、２ａは撮影光軸、３はグリップ部、４はストロボユニット、５は第一のヒンジ部、６は係止部材、７はストロボＳＷ、８は引掛け部を示す。
【００１４】
撮像装置本体１の内部には撮像部２１が配置されており、撮影レンズ２を通過した光は撮像部２１に投影され、画像として出力される。撮像部２１に関しては後に説明する。グリップ部３は撮影者が撮影時に撮像装置本体１を保持する部位である。ストロボユニット４は撮影光軸２ａと略交差する方向に回転軸を持つ第一のヒンジ部５によって撮像装置本体１と接続されており、ストロボ撮影を行わない場合は係止部材６がストロボユニット４の外形に成形された引掛け部８に引っかかることで図１（ａ）のようにストロボダウン状態で係止されている。
【００１５】
ストロボＳＷ７は、係止部材６をストロボユニット４の引掛け部８から外れる方向に可動させ、ストロボユニット４は係止部材６が外れることで第一のヒンジ部５に配置されたバネ（不図示）により図１（ｂ）のようにストロボアップ状態に可動する。
【００１６】
次に図２を参照して、ストロボユニット４の詳細な構成について説明する。図２（ａ）はストロボユニットの外観斜視図、図２（ｂ）は図２（ａ）のＡ−Ａ断面図、図２（ｃ）は図２（ａ）のＢ−Ｂ断面図、図２（ｄ）は発光部１１を１８０度回転させ、バウンス撮影状態にした時の図２（ａ）のＢ−Ｂ断面図である。発光部１１に関しては次に説明する。
【００１７】
図２（ａ）、図２（ｂ）、図２（ｃ）、図２（ｄ）において、１０はベース部、１０ａはベース部１０の内面、１０ｂはベース部１０の穴形状、１１は発光部、１１ａは発光部１１の当接面、１２は第二のヒンジ部、１３は発光管、１４は反射部材、１５は透過部材、１６はラチェット軸、１６ａはラチェット軸１６の略筒形状、１６ｂはラチェット軸１６の突起形状、１６ｃはラチェット軸１６の板形状、１７は引っ張りバネ、１８はラチェット歯、１８ａはラチェット歯１８の溝部を示す。
【００１８】
ベース部１０は第一のヒンジ部５を備え、ストロボユニット４を支持する。またベース部１０と発光部１１の間には、第一のヒンジ部５の回転軸に略直交する方向に回転軸を持った第二のヒンジ部１２が配置されており、発光部１１を支持し、ベース部１０に対して発光部１１を回転可能にする。また、第二のヒンジ部１２には回転角度を検知する回転角度検知部２３を備える。回転角度検知部２３に関しては後に説明する。
【００１９】
発光部１１は内部に発光管１３、反射部材１４、透過部材１５を備え、電力供給により発光した発光管１３の光は反射部材１４によって透過部材１５の方向に集光され、透過部材１５を透過して撮像装置本体１の外空間に放出される。第一のヒンジ部５および第二のヒンジ部１２は略筒形状をしており、前記撮像装置本体１の内部から電力供給のために配線されるケーブルがベース部１０内を這いまわされ、発光管１３へと接続されるための経路となる。
【００２０】
ベース部１０内部にはラチェット軸１６、引っ張りバネ１７、ラチェット歯１８が配置され、ラチェット機構を備えている。ラチェット軸１６は一方の端部にラチェッ歯１８を取り囲むように略筒形状１６ａを備えており、略筒形状１６ａの内面側にはラチェット歯１８の溝部１８ａに勘合するよう形成された突起形状１６ｂを有する。ラチェット歯１８は第一のヒンジ部５の撮像装置本体１側の軸に形成され、なおかつストロボユニット４内のラチェット機構が配置されている側のみに形成されている。ラチェット軸１６の他方の端部には引っ張りバネ１７と接触する面を有する板形状１６ｃと略球形状１６ｄを有する。
【００２１】
引っ張りバネ１７は一方の端面をラチェット軸１６の板形状１６ｃに固定され、他方の端面をベース部１０の内面１０ａに固定されている。ベース部１０の引っ張りバネ１７と接触する面の壁には、ラチェット軸１６の略球形状１６ｄが通過することができる穴形状１０ｂを有する。発光部１１が図２（ｃ）のように通常撮影状態の場合、ラチェット軸１６の略球形状１６ｄは発光部１１の当接面１１ａに当接し、ベース部１０内に押し込まれた状態になる。この際引っ張りバネ１７は引っ張り方向に延ばされるとともに、ラチェット軸１６の突起形状１６ｂはラチェット歯１８に接触しない位置に移動する。よって、ラチェット歯１８は自由可動可能となり、前記係止部材６が前記引掛け部８から外れる可動をした際にバネ力によってストロボアップ状態までラチェット機構が作動することなく回転可能となる。
【００２２】
発光部１１が図２（ｄ）のように、第二のヒンジ部の軸を中心に通常撮影状態から１８０度回転したバウンス状態の場合、ラチェット軸１６の略球形状１６ｄは発光部１１の当接面１１ａから解放され、引っ張りバネ１７の収縮によりラチェット軸１６の突起形状１６ｂがラチェット歯１８の溝部１８ａに勘合する。よって、前記第一のヒンジ部５の軸中心の回転可動時にラチェット機構を有する可動を行うことができる。上記ラチェット機構は本実施形態の一例であり、これに限定するものではない。
【００２３】
上記構成により、撮影者は発光部１１を回転させることでバウンス撮影が可能となる。また、前記ラチェット機構により第一のヒンジ部５のストロボアップ角度を調整し、第二のヒンジ部１２の回転角度を任意の角度に調整することで、縦位置撮影時にも撮影者の任意の方向へのバウンス撮影が可能となる。
【００２４】
次に図３を参照して、撮像装置内部の構成について説明する。図３は本実施の形態に係る撮像装置の主要な電気的構成を示すブロック図である。
【００２５】
図３において、２０は制御部、２１は撮像部、２２はレンズ通信部、２３は回転角検知部、２４はＳＴＵＰ検知部を示す。
【００２６】
撮像装置本体１に内蔵されたマイクロコンピュータからなる制御部２０は、カメラの動作制御および記憶を司るものであり、各要素からの情報の処理や各要素に対する指示および各情報の記憶を行う。また制御部２０には、撮像部２１、レンズ通信部２２、回転角検知部２３、ＳＴＵＰ検知部２４、発光管１３が電気的に接続されている。制御部２０は、レンズ通信部２２を介して撮影レンズ２と通信を行う。
【００２７】
撮像部２１は、被写体像を光電変換する撮像素子を有し、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。
【００２８】
制御部２０は前記発光部１１が回転した場合、回転角検知部２３に前記第二のヒンジ部１２の回転角を検知させ、記憶する（本実施形態において、発光部の位置が通常撮影状態での時場合を回転角０°とする）。また、制御部２０はＳＴＵＰ検知部２４にストロボユニット４がポップアップ状態かどうかの検知をさせる。制御部２０は回転角検知部２３の回転角情報および、ＳＴＵＰ検知部２４のＳＴＵＰ情報に基づき、発光管１３の発光を許可または禁止する。
【００２９】
次に図４は、本実施形態に係る撮像装置に関する、ストロボ発光方法に関するフローチャートである。なお、上記と同記号の説明は割愛する。図１、図２、図３、図４を参照して、ストロボ発光制御方法に関して説明する。
【００３０】
制御部２０は、Ｓ１０１において回転検知部２３に発光部１１の回転角度を検知させる。回転角度が０°の場合、制御部２０はＳ１０２においてＳＴＵＰ検知部２４にストロボユニット４がポップアップ状態かどうかの検知をさせ、ポップアップ状態でなかった場合、Ｓ１０３にて発光管１３への発光禁止を行う。Ｓ１０１にて回転角度が０°以外の角度、もしくはＳ１０２にてポップアップ状態であった場合、制御部２０はＳ１０４にて発光管１３へ発光許可を行う。
【実施例２】
【００３１】
上記実施例１においては、ストロボアップバネの付勢に係る記述がなく、またラチェット機構も大がかりなものとなっているため、実施例２としてストロボアップバネを係止させつつ、より小型の構成によるラチェット機構に関して説明する。なお、図中で実施例１と共通する部分には同一の符号を記し、説明は割愛する。以下、図５、図６、図７、図８、図９を参照して、実施例２におけるストロボユニット４の構成を詳細に説明する。
【００３２】
図５（ａ）はストロボユニット４の外観斜視図、図５（ｂ）は図５（ａ）のＡ−Ａ断面図である。図５（ａ）において、３０はストロボアップのためのトーションバネ、３１はベース部１０の内部に形成された引掛け形状、３２は撮像装置本体１から突出した第一のヒンジ軸、３３はラチェット部品を示す。
【００３３】
図６は前記トーションバネ３０の単体形状を表す斜視図である。図６において、３０ａは前記引掛け形状３１に引掛けるためのフック部、３０ｂはトーションバネ３０のフック部３０ａの他端であり、撮像装置本体１に当接する係止部、３０ｃは前記第一のヒンジ軸３２の周囲を囲むように配置され、フック部３０ａと係止部３０ｂの支点となる巻部、３０ｄは巻部３０ｃとフック部３０ａの中間の腕部を示す。
【００３４】
図７は前記ラチェット部品３３の単体形状を示す図であり、図７（ａ）は単体斜視図、図７（ｂ）は図７（ａ）を矢視Ａからみた矢視図である。図７において、３３ａはラチェット部品３３の壁部、３３ｂは壁部３３ａの先端に設けられた凹部、３３ｃは壁部３３ａの先端に設けられた凸部を示す。
【００３５】
図８はラチェット部品３３の可動方法を示す図である。図８において、図８（ａ）はトーションバネ３０、第一のヒンジ軸３２、ラチェット部品３３のみの構成を表示した斜視図、図８（ｂ）は前記構成のラチェット部品３３が退避している状態の正面図、図８（ｃ）は前記構成のラチェット部品３３が突出している状態の正面図である。
【００３６】
図９はトーションバネ３０、第一のヒンジ軸３２、ラチェット部品３３のみの構成を表示しており、ラチェット部品３３が突出した際に、ストロボユニット４を可動させた時のトーションバネ３０の可動方法を示す図である。図９において、図９（ａ）はストロボダウン時の前記構成を示す斜視図およびＡ−Ａ断面図、図９（ｂ）は図９（ａ）からストロボアップ方向にストロボユニット４を可動させ、腕部３０ｄが凸部の頂点に差し掛かった際の前記構成を示す斜視図およびＡ−Ａ断面図、図９（ｃ）は図９（ａ）からストロボアップ方向に凸部３３ｃを乗り越え、次の凹部３３ｂに係止した際の前記構成を示す斜視図およびＡ−Ａ断面図、図９（ｄ）はラチェット部品３３の凹凸部の詳細図である。
【００３７】
まず図５、図６、図７、図８を参照して、全体構成に関して説明する。図５において、撮像装置本体１はストロボユニット４を第一のヒンジ５回りに回転させる為のトーションバネ３０を備える。トーションバネ３０の一端に設けられたフック形状（フック部３０ａ）はベース部１０の引掛け形状３１に引掛けられ、他端（係止部３０ｂ）を撮像装置本体１に当接する。トーションバネ３０の巻部３０ｃは、第一のヒンジ５の軸として撮像装置本体１から突出した第一のヒンジ軸３２に略同軸状に配置されている。上記構成により、係止部３０ｂとフック部３０ａの間に巻部３０ｃの軸周りに開き力が発生し、引掛け部８から係止部材６が外れると、ストロボユニット４はストロボダウン状態からストロボアップ状態へと可動が可能となる。
【００３８】
図８において、撮像装置本体１は凹凸形状を有する略円筒状のラチェット部品３３を備え、壁部３３ａが撮像装置本体１内部から第一のヒンジ軸３２周りにベース部１０の内部方向へと突出する（矢印Ａ）。前記突出駆動は、例えばモータ（不図示）やプランジャー（不図示）による駆動であり、ラチェット部品３３が矢印Ａの方向に突出する手段であれば、これに限らない。壁部３３ａがベース部１０の内部方向に突出すると、トーションバネ３０の腕部３０ｄにラチェット部品３３の凹部３３ｂがかみ合い、トーションバネ３０の前記開き力を係止する。
【００３９】
係止したストロボユニット４をユーザーが手動で動かした場合、トーションバネ３０の腕部３０ｄは、巻部３０ｃが第一のヒンジ軸３２の平行に伸縮することでラチェット部品３３の凸部３３ｃを乗り越え、次の凹部に係止されることで、撮像装置本体１に対するストロボユニット４の開き量を調整することができる。また、トーションバネ３０の腕部３０ｄがラチェット部品３３の凸部３３ｃを乗り越える際にクリック感を発生させる（巻部３０ｃの伸縮方法及びラチェット部品３３の凹凸形状の乗り越え方に関しては後に詳細に説明する。）。
【００４０】
上記構成により、部品点数がより少なく、より小型の構成によってストロボユニット４の開き力を係止させるとともに、ストロボユニット４の開き量を調整するためのラチェット機構を付加することができる。
【００４１】
次に図６を参照して、トーションバネ３０の詳細形状に関して説明する。トーションバネ３０のフック部３０ａは、ベース部１０の引掛け形状３１を取り囲むようにフック形状を有しており、ラチェット部品３３が突出して、ラチェット部品３３の凹部３３ｂにトーションバネ３０の腕部３０ｄがかみ合いトーションバネ３０が係止している状態の時、ストロボユニット４がストロボアップ方向に動いてしまうことを防止する。本実施の形態において３０ａはフック形状であるが、引掛け形状３１に対して略固定する形状であればこれに限らない。
【００４２】
次に図９を参照して、トーションバネ３０の可動方法及びラチェット部品３３の詳細形状に関して説明する。ラチェット部品３３の凹部３３ｂに係止しているトーションバネ３０の腕部３０ｄは、ストロボユニット４がアップ方向の可動（矢印Ｂ方向）をした際、ラチェット部品の凸部３３ｃの急な斜面に当接し矢印Ｄの方向へ斜面をのぼり始める。この時、巻部３０ｃが矢印Ｃ方向に伸縮することで腕部３０ｄは急な斜面でも大きな負荷なく上ることができる。凸部３３ｃをのぼり切った腕部３０ｄは次の凹部３３ｂに落ち込み、係止される。
【００４３】
また同様に、ストロボユニット４がダウン方向の可動（矢印Ｆ方向）をした際、ラチェット部品の凸部３３ｃはアップ時よりも緩やかな斜面に当接し矢印Ｅの方向へ斜面をのぼり始める。この時もまた、巻部３０ｃが矢印Ｃ方向に伸縮することで腕部３０ｄは斜面を負荷なく上ることができる。凸部３３ｃをのぼり切った腕部３０ｄは次の凹部３３ｂに落ち込み、係止される。
【００４４】
上記構成により、ストロボユニット４は凹凸部の急な斜面によって任意の角度で係止するとともに、係止した状態から手動でストロボアップ動作をさせると、クリック感とともに開き量を調整することができる。また、係止した状態から手動でストロボダウン動作をさせると、同様にクリック感とともに開き量を調整することができるとともに、凹凸部の緩やかな斜面によってストロボアップ動作よりも少ない負荷で可動させることができる。
【００４５】
次に図１０、図１１を参照して実施例２における撮像装置内部の構成およびラチェット部品３３の動作フローについて説明する。図１０は実施例２に係る撮像装置の主要な電気的構成を示すブロック図である。図１０において、２３は例えばロータリースイッチ（不図示）などによる回転角検知部、２４は例えばプッシュスイッチ（不図示）などによるＳＴＵＰ検知部を示す。４０はラチェット部品３３の突出と退避を切り替えるためのラチェット駆動部であり、例えばモータ（不図示）やプランジャー（不図示）による駆動で、ラチェット部品３３の突出と退避を切り替える。４１は撮像装置本体１の電源ＯＮ／ＯＦＦを切り替えるためのメインＳＷである。
【００４６】
図１１はラチェット部品の駆動方法に関するフローチャートである。撮像装置本体１はステップＳ２００の電源ＯＮ動作によって起動する。ステップＳ２０１においてユーザー操作によりストロボＳＷ７のＯＮを検出した制御部２０は、ステップＳ２０２においてストロボアップ動作を行う。ステップＳ２０３において回転角検知部２３により発光部１１の回転角が０°ではないこと（バウンス状態）を検出した制御部２０は、ステップＳ２０４においてラチェット駆動部４０によりラチェット部品３３をベース部１０内に突出させるように駆動させる。また、ステップＳ２０４においてラチェット部品３３が突出している状態で発光部１１が操作され、ステップＳ２０５においてバウンス撮影状態ではなくなった（発光部の回転角＝０°）ことを回転角検知部２３により検知した制御部２０は、ステップＳ２０６においてラチェット駆動部４０によりラチェット部品３３を撮像装置本体内に退避させるように駆動させる。
【００４７】
本実施の形態においては電気制御によりラチェット部品３３を駆動させることを例に挙げているが、ダボやカムなどのメカ構成で、ストロボユニット４がストロボアップ状態になった際にはラチェット部品３３が自動的に突出し、ストロボダウン状態になった際にはラチェット部品３３が自動的に退避する構成でもよい。また、ストロボＳＷ７のＯＮ／ＯＦＦもしくは操作回数により、ラチェット部品３３の突出または退避を切り替える構成でもよい。
【００４８】
また、本実施の形態においては第一のヒンジ部５と第二のヒンジ部１２が直交する構成において説明しているが、第一のヒンジ部５と第二のヒンジ部１２が平行に配置される構成においても有効である。
【符号の説明】
【００４９】
１  撮像装置本体、２  撮影レンズ、２ａ  撮影光軸、３  グリップ部、
４  ストロボユニット、５  第一のヒンジ部、６  係止部材、７  ストロボＳＷ、
８  引掛け部、１０  ベース部、１０ａ  ベース部１０の内面、
１０ｂ  ベース部１０の穴形状、１１  発光部、１１ａ  発光部１１の当接面、
１２  第二のヒンジ部、１３  発光管、１４  反射部材、１５  透過部材、
１６  ラチェット軸、１６ａ  ラチェット軸１６の略筒形状、
１６ｂ  ラチェット軸１６の突起形状、１６ｃ  ラチェット軸１６の板形状、
１７  引っ張りバネ、１８  ラチェット歯、１８ａ  ラチェット歯１８の溝部、
２０  制御部、２１  撮像部、２２  レンズ通信部、２３  回転角検知部、
２４  ＳＴＵＰ検知部、３０  トーションバネ、３０ａ  フック部、
３０ｂ  係止部、３０ｃ  巻部、３０ｄ  腕部、３１  引掛け形状、
３２  第一のヒンジ軸、３３  ラチェット部品、３３ａ  壁部、３３ｂ  凹部、
３３ｃ  凸部、４０  ラチェット駆動部
【図１】
2016128850.tif 000003
【図２（ａ）】
2016128850.tif 000004
【図２（ｂ）】
2016128850.tif 000005
【図２（ｃ）】
2016128850.tif 000006
【図２（ｄ）】
2016128850.tif 000007
【図３】
2016128850.tif 000008
【図４】
2016128850.tif 000009
【図５】
2016128850.tif 000010
【図６】
2016128850.tif 000011
【図７】
2016128850.tif 000012
【図８】
2016128850.tif 000013
【図９】
2016128850.tif 000014
【図１０】
2016128850.tif 000015
【図１１】
2016128850.tif 000016